(57)【要約】 【課題】耐衝撃性を向上させるためのバックライト組立体及びこれを有する液晶表示装置を提供する。【解決手段】  バックライト組立体は、底部及び側部からなり収納空間を形成する収納容器、収納容器に収納され光を発生する平板蛍光ランプ、及び収納容器と平板蛍光ランプとの間に配置され平板蛍光ランプを支持し平板蛍光ランプに加えられる衝撃を緩衝するための緩衝部を有する支持部材を含む。ここで、緩衝部は支持部材の表面から突出する突起からなる。従って、平板蛍光ランプに加えられる衝撃を緩衝して耐衝撃性を向上させ、平板蛍光ランプの破損を防止することができる。【選択図】    図１
2006054177.tif 000002
【特許請求の範囲】
【請求項１】
底部及び側部からなり収納空間を形成する収納容器と、
前記収納容器に収納され、光を発生する平板蛍光ランプと、
前記収納容器と前記平板蛍光ランプとの間に配置され、前記平板蛍光ランプを支持し、前記平板蛍光ランプに加えられる衝撃を緩衝するための緩衝部を有する支持部材と、
を含むことを特徴とするバックライト組立体。
【請求項２】
前記緩衝部は、前記支持部材の表面から突出する突起からなることを特徴とする請求項１記載のバックライト組立体。
【請求項３】
前記突起は、前記平板蛍光ランプと向き合う前記支持部材の第１面に形成されることを特徴とする請求項２記載のバックライト組立体。
【請求項４】
前記突起は、前記収納容器と向き合う前記支持部材の第２面に形成されることを特徴とする請求項２記載のバックライト組立体。
【請求項５】
前記突起は、前記平板蛍光ランプと向き合う前記支持部材の第１面及び前記収納容器の底部と向き合う前記支持部材の第２面の両方に形成されることを特徴とする請求項２記載のバックライト組立体。
【請求項６】
前記第１面に形成された突起と前記第２面に形成された突起とが互いに重なり合わないことを特徴とする請求項５記載のバックライト組立体。
【請求項７】
前記突起のうち少なくとも一つは、前記支持部材の表面に垂直な方向に切断した縦断面が梯形形状であることを特徴とする請求項２記載のバックライト組立体。
【請求項８】
前記突起のうち、少なくとも一つは、前記支持部材の表面に平行な方向に切断した横断面が円形状であることを特徴とする請求項２記載のバックライト組立体。
【請求項９】
前記支持部材は、前記平板蛍光ランプの端部に対応する位置に配置されることを特徴とする請求項１記載のバックライト組立体。
【請求項１０】
前記支持部材は、前記平板蛍光ランプの少なくとも一つの角に対応する位置に配置されることを特徴とする請求項１記載のバックライト組立体。
【請求項１１】
前記支持部材は、
前記収納容器の底部と向き合う前記平板蛍光ランプの一面と向き合う第１支持部と、
前記第１支持部から延び前記平板蛍光ランプの側面と向き合い、前記平板蛍光ランプの側面と前記収納容器の側部との間に配置された第２支持部と、
を含むことを特徴とする請求項１記載のバックライト組立体。
【請求項１２】
前記緩衝部は、前記第１支持部に形成されることを特徴とする請求項１１記載のバックライト組立体。
【請求項１３】
前記緩衝部は、前記第１支持部及び前記第２支持部に形成されることを特徴とする請求項１１記載のバックライト組立体。
【請求項１４】
前記支持部材は、絶縁物質からなることを特徴とする請求項１記載のバックライト組立体。
【請求項１５】
前記平板蛍光ランプは、
平板形状の第１基板と、
前記第１基板と結合され放電空間を形成する第２基板と、
前記放電空間に放電電圧を印加するための電極と、
を含むことを特徴とする請求項１記載のバックライト組立体。
【請求項１６】
前記第２基板は、
互いに離隔された前記放電空間の間に形成され前記第１基板と接する複数の空間分割部と、
前記第２基板の端部に形成され前記第２基板を前記第１基板と結合するシーリング部と、
を含むことを特徴とする請求項１５記載のバックライト組立体。
【請求項１７】
前記平板蛍光ランプは、
平板形状の第１基板と、
前記第１基板と同一の形状の有し、前記第１基板と結合され内部空間を形成する第２基板と、
前記第１基板と前記第２基板との間に配置され前記第１基板と第２基板とを結合させる密封部材と、
前記第１基板と前記第２基板との間に配置され前記内部空間を複数の放電空間に分割する一つ以上の隔壁と、
前記放電空間に放電電圧を印加するための電極と、
を含むことを特徴とする請求項１記載のバックライト組立体。
【請求項１８】
前記平板蛍光ランプの上部面に対向する前記平板蛍光ランプの下部面が前記収納容器の底部と向き合うように前記上部面の端部を前記収納容器に固定する第１フレームと、
前記収納容器の背面に配置され、前記平板蛍光ランプを駆動するための放電電圧を発生するインバータと、
をさらに含むことを特徴とする請求項１記載のバックライト組立体。  
【請求項１９】
前記第１フレームの上部に配置され、前記平板蛍光ランプから出射される光を拡散する拡散板と、
前記拡散板の上部に配置される光学シートと、
前記拡散板と前記光学シートとを固定するために前記収納容器と結合する第２フレームと、
をさらに含むことを特徴とする請求項１８記載のバックライト組立体。
【請求項２０】
底部及び側部からなり収納空間を形成する収納容器、前記収納容器に収納され光を発生する平板蛍光ランプ、及び前記収納容器と前記平板蛍光ランプとの間に配置され前記平板蛍光ランプを支持し前記平板蛍光ランプに加えられる衝撃を緩衝する緩衝部を有する支持部材を含むバックライト組立体と、
前記バックライト組立体の上部に配置され、前記バックライト組立体から供給される光を用いて画像を表示する液晶表示パネルと、
前記液晶表示パネルを前記バックライト組立体に固定するためのトップシャーシと、
を含むことを特徴とする液晶表示装置。
【請求項２１】
前記緩衝部は、前記支持部材の表面から突出する突起からなることを特徴とする請求項２０記載の液晶表示装置。
【請求項２２】
前記突起は、前記平板蛍光ランプと向き合う前記支持部材の第１面、及び前記収納容器と向き合う前記支持部材の第２面のうち少なくとも一つの面に形成されることを特徴とする請求項２１記載の液晶表示装置。
【請求項２３】
前記支持部材は、前記平板蛍光ランプの端部に対応する位置に配置されることを特徴とする請求項２０記載の液晶表示装置。
【請求項２４】
前記支持部材は、
前記収納容器の底部と向き合う前記平板蛍光ランプの下部面に向き合う第１支持部と、
前記第１支持部から延び、前記収納容器の側部と向き合う前記平板蛍光ランプの側面に向き合う第２支持部と、
を含むことを特徴とする請求項２０記載の液晶表示装置。
【請求項２５】
前記緩衝部は、前記第１支持部と前記第２支持部のうち、少なくとも一つの支持部に形成されることを特徴とする請求項２４記載の液晶表示装置。
【請求項２６】
前記平板蛍光ランプは、
平板形状の第１基板と、
前記第１基板と結合され放電空間を形成する第２基板であって、互いに離隔された前記放電空間の間に形成され前記第１基板と接する複数の空間分割部、及び前記第２基板の端部に形成され前記第２基板を前記第１基板と結合するシーリング部を含む第２基板と、
前記放電空間に放電電圧を印加するための電極と、
を含むことを特徴とする請求項２０記載の液晶表示装置。
【請求項２７】
前記平板蛍光ランプは、
平板形状の第１基板と、
前記第１基板と同一の形状を有し、前記第１基板と結合され内部空間を形成する第２基板と、
前記第１基板と前記第２基板との間の端部に配置され前記第１基板と前記第２基板とを結合させる密封部材と、
前記第１基板と前記第２基板との間に配置され前記内部空間を複数の放電空間に分割する一つ以上の隔壁と、
前記放電空間に放電電圧を印加するための電極と、
を含むことを特徴とする請求項２０記載の液晶表示装置。
【請求項２８】
前記バックライト組立体は、
前記平板蛍光ランプの上部面の端部を前記収納容器に固定する第１フレームと、
前記第１フレームの上部に配置され、前記平板蛍光ランプから出射される光を拡散する拡散板と、
前記拡散板を固定するために前記収納容器と結合する第２フレームと、
前記収納容器の背面に配置され、前記平板蛍光ランプを駆動するための放電電圧を発生するインバータと、
をさらに含むことを特徴とする請求項２０記載の液晶表示装置。
【請求項２９】
複数の支持デバイスを含み、
前記複数の支持デバイスは、それぞれ、第１支持部、前記第１支持部から所定の角度に傾いて延びる第２支持部、及び前記第１支持部と第２支持部のうち少なくとも一つから突出する複数の突出部を具備し、
前記複数の突出部は平板蛍光ランプの周囲に均一に分布するように設けられることを特徴とする平板蛍光ランプ用衝撃緩和支持部材。
【請求項３０】
前記複数のデバイスは、四つからなることを特徴とする請求項２９記載の平板蛍光ランプ用衝撃緩和支持部材。
【請求項３１】
前記各支持デバイスの前記第１支持部及び第２支持部は、前記平板蛍光ランプの端部を保護するように垂直に配列された平坦面をそれぞれ含むことを特徴とする請求項３０記載の平板蛍光ランプ用衝撃緩和支持部材。
【請求項３２】
前記各支持デバイスの第１支持部は平坦面を含み、
前記各支持デバイスの前記第２支持部は、平板蛍光ランプの角を保護するように配列された、一対の垂直な面を含むことを特徴とする請求項３０記載の平板蛍光ランプ用衝撃緩和支持部材。
【請求項３３】
底部及び側部を具備して平板蛍光ランプを収納するための収納容器を有するバックライト組立体の平板蛍光ランプを外部衝撃から保護するための平板蛍光ランプ保護方法において、
支持部材から突出する複数の突起を有する支持部材を提供する段階と、
前記支持部材を前記収納容器と前記平板蛍光ランプとの間に挿入する段階と、
を含むことを特徴とするバックライト組立体の平板蛍光ランプ保護方法。
【請求項３４】
前記支持部材を前記収納容器と前記平板蛍光ランプとの間に挿入する段階は、第１支持部を前記平板蛍光ランプと前記収納容器の底部との間に挿入する段階と、第２支持部を前記平板蛍光ランプと前記収納容器の側部との間に挿入する段階とを含み、前記第２支持部は前記第１支持部から所定角度を成すように延びることを特徴とする請求項３３記載のバックライト組立体の平板蛍光ランプ保護方法。
【発明の詳細な説明】
【技術分野】
【０００１】
本発明は、バックライト組立体及びこれを有する液晶表示装置に関し、さらに、詳細には面形態に光を出射する平板蛍光ランプを光源として使用するバックライト組立体、これを有する液晶表示装置に関する。
【背景技術】
【０００２】
一般的に、液晶表示装置は液晶を用いて画像を表示する平板表示装置の一つとして、他の表示装置に比べて薄くて軽く、低駆動電圧及び低消費電力を有するという長所があって、産業全般に渡って幅広く使用されている。
【０００３】
このような液晶表示装置は、画像を表示するための液晶表示パネルが自発的に発光することができない非発光性素子であるので、別に、光源を提供するバックライト組立体を必要とする。
バックライト組立体には、光源として細くて長い円筒形状の冷陰極蛍光ランプＣＣＦＬが主に使用される。冷陰極蛍光ランプを光源として使用するバックライト組立体は光源の位置によって、大きく、エッジ型、直下型などに分類される。エッジ型は透明導光板の側面に一つまたは二つの光源を位置させ導光板の一面を用いて光を多重反射させることで得た光を液晶表示パネルに出射する方式であり、直下型は複数の光源を液晶表示パネルの直下部に位置させ光源の全面には拡散板を配置し、光源の背面には反射板を配置して光源から発散される光を液晶パネル側へ反射、拡散させる方式である。
【０００４】
このような従来のバックライト組立体は、導光板または拡散板などの光学部材による光損失が発生して光利用効率が低く、全体構造が複雑であるために生産費が高く、輝度の均一性が劣っているという問題点がある。
【０００５】
このような問題点を解消するために、最近、面形態に光を直接出射する平板蛍光ランプに対する開発が進められている。平板蛍光ランプは内部が複数の放電空間に分割されており、放電空間で発生するプラズマを用いて光を発生させる。このような平板蛍光ランプは、バックライト組立体の薄型化と軽量化のために大面積を有しながらもできるだけ薄く形成される。
【０００６】
しかし、平板蛍光ランプは薄くて大きい面積を有するので、外部から加えられる衝撃に脆弱であるという短所を有し、バックライト組立体に実装した状態で衝撃テストを行う場合、平板蛍光ランプが破損するなどの不良が発生する問題点がある。  
【発明の開示】
【発明が解決しようとする課題】
【０００７】
従って、本発明はこのような問題点を勘案したもので、本発明の目的は平板蛍光ランプの耐衝撃性を向上させることができるバックライト組立体を提供することにある。
本発明の他の目的は前述のようなバックライト組立体を有する液晶表示装置を提供することにある。
【課題を解決するための手段】
【０００８】
前述した本発明の目的を達成するためのバックライト組立体は、収納容器、平板蛍光ランプ及び支持部材を含む。収納容器は、底部及び側部からなり収納空間を形成する。平板蛍光ランプは、前記収納容器に収納され、光を発生する。前記支持部材は、前記収納容器と前記平板蛍光ランプとの間に配置され、前記平板蛍光ランプを支持し、前記平板蛍光ランプに加えられる衝撃を緩衝するための緩衝部を有する。
【０００９】
前記緩衝部は、前記支持部材の表面から一定高さで突出する突起からなる。前記突起は前記平板蛍光ランプと向き合う前記支持部材の第１面及び前記収納容器と向き合う前記支持部材の第２面のうち少なくとも一つの面に形成される。
【００１０】
前記支持部材は、前記平板蛍光ランプの端部に対応する位置に配置される。前記支持部材は前記平板蛍光ランプの下部面と向き合う第１支持部及び前記第１支持部から延び前記平板蛍光ランプの側面と向き合う第２支持部を含むことができる。このとき、前記緩衝部は前記第１支持部及び前記第２支持部のうち少なくとも一つの支持部に形成される。
【００１１】
バックライト組立体は、前記平板蛍光ランプの上部から前記収納容器に結合され前記平板蛍光ランプの上部面の端部を固定する第１フレーム、及び前記収納容器の背面に配置され前記平板蛍光ランプを駆動するための放電電圧を発生するインバータをさらに含むことができる。また、バックライト組立体は前記第１フレームの上部に配置され前記平板蛍光ランプから出射される光を拡散する拡散板、前記拡散板の上部に配置される光学シート、及び前記拡散板と前記光学シートを固定するための前記収納容器と結合する第２フレームをさらに含むことができる。
【００１２】
本発明の目的を達成するための液晶表示装置は、バックライト組立体、液晶表示パネル及びトップシャーシを含む。前記バックライト組立体は、底部及び側部からなり収納空間を形成する収納容器、前記収納容器に収納され光を発生する平板蛍光ランプ、及び前記収納容器と前記平板蛍光ランプとの間に配置され前記平板蛍光ランプを支持し前記平板蛍光ランプに加えられる衝撃を緩衝するための緩衝部を有する支持部材を含む。前記液晶表示パネルは、前記バックライト組立体の上部に配置され、前記バックライト組立体から供給される光を用いて画像を表示する。前記トップシャーシは、前記液晶表示パネルを前記バックライト組立体に固定する。
【００１３】
本発明のの目的を達成するための平板蛍光ランプ用衝撃緩和支持部材は、複数の支持デバイスを含む。前記複数の支持デバイスは、それぞれ、前記第１支持部、前記第１支持部から所定の角度に傾いて延びる第２支持部、及び前記第１及び第２支持部のうち少なくとも一つから突出する複数の突出部を具備する。また、前記複数の突出部は平板蛍光ランプの周囲に均一に分布するように設けられる。
【００１４】
本発明の目的を達成するための平板蛍光ランプ保護方法は下記のとおりである。すなわち、底部及び側部を具備して平板蛍光ランプを収納するための収納容器を有するバックライト組立体の平板蛍光ランプを外部衝撃から保護するための方法において、支持部材から突出する複数の突起を有するように提供された支持部材が、前記収納容器と前記平板蛍光ランプとの間に挿入される。
【００１５】
このようなバックライト組立体及びこれを有する液晶表示装置によると、平板蛍光ランプに加えられる衝撃を緩衝して耐衝撃性を向上させ、平板蛍光ランプの破損を防止することができる。
【発明を実施するための最良の形態】
【００１６】
以下、図面を参照して本発明の望ましい一実施例をより詳細に説明する。
【００１７】
図１は本発明の一実施例によるバックライト組立体を示す分解斜視図であり、図２は図１に示されたバックライト組立体の組み立てられた状態における断面を示す断面図である。
【００１８】
図１及び図２に示すように、本発明の一実施例によるバックライト組立体１００は、収納容器２００、平板蛍光ランプ３００及び支持部材４００を含む。収納容器２００は、底部２１０及び側部２２０からなり、平板蛍光ランプ３００を収納するための収納空間を備える。平板蛍光ランプ３００は収納容器２００に収納され光を発生する。支持部材４００は収納容器２００と平板蛍光ランプ３００との間に配置され、平板蛍光ランプ３００を支持し、平板蛍光ランプ３００に加えられる衝撃を緩衝するための緩衝部４１０を有する。
【００１９】
収納容器２００は底部２１０、及び底部２１０の端部から延び収納空間を形成する側部２２０からなる。前記側部２２０は前記底部２０１の端部からそれぞれ延びる複数の側面を具備することができる。この実施例において、前記側部２２０は、第１辺、第２辺、第３辺及び第４辺を含む。前記４つの辺は、平行四辺形、例えば、長方形をなすように、互いに平行な辺の組を２組形成するように配列されることができる。側部２２０は、一例では、他の構成要素との結合空間を提供し、結合力を向上させるために、反転された“Ｕ”字形状または水路形状を有する。この場合、側面または側面の反転されたＵ形状または水路形状の開口された側は、前記バックライト組立体１００の前面ではなく背面側を向く。収納容器２００は、一例では、強度が優れて変形が小さい金属からなる。収納容器２００の収納空間には支持部材４００と平板蛍光ランプ３００が順次実装される。
【００２０】
平板蛍光ランプ３００は、面形態に光を出射するために、収納容器２００の底部２１０に対応する四角形のプレート形状を有する。平板蛍光ランプ３００は外部から印加される放電電圧によって内部空間でプラズマ放電を起こし、プラズマ放電によって発生した紫外線を可視光に変換して外部に出射する。平板蛍光ランプ３００は広い面積を有するので、平板蛍光ランプ３００の全面積にわたって均一な発光をするために、内部空間が複数の放電空間に分割された構造を有することが望ましい。
【００２１】
支持部材４００は収納容器２００と平板蛍光ランプ３００との間に配置され平板蛍光ランプ３００を支持する。支持部材４００は平板蛍光ランプ３００の端部に対応して配置される。前記平板蛍光ランプ３００の端部とは、前記平板蛍光ランプ３００の端部の全体、端部の一部、角、またはこれらのサブセットとすることができる。前記支持部材４００は平板蛍光ランプ３００を収納容器２００と一定距離に離隔させ平板蛍光ランプ３００と収納容器２００と間の電気的接触を遮断する。これのために、支持部材４００は絶縁物質からなる。また、支持部材４００は外部から加えられる衝撃を吸収するためにある程度の弾性を有する物質からなることが望ましい。一例では、支持部材４００はシリコン材質からなる。
【００２２】
支持部材４００は図１に示されたように、平板蛍光ランプ３００の各辺に対応する四つの支持デバイスで構成される。しかし、これとは異なり、前記四つの支持デバイスはフレーム形状の一体形に形成されてもよく、２つの部片で構成されてもよい。他の例として、前記支持部材４００は前記平板蛍光ランプ３００の各辺に対応する複数の支持デバイスで構成されることもできる。
【００２３】
本実施例において、支持部材４００は平板蛍光ランプ３００に加えられる外部衝撃を緩衝するために緩衝部４１０を有する。
図３は図１に示された支持部材の一例を示す斜視図であり、図４は図３に示された支持部材の一部を拡大した拡大図であり、図５は図４のＩ−Ｉ線を切断した断面図である。
【００２４】
図３、図４及び図５を参照すると、支持部材４００は平板蛍光ランプ３００の下部面と向き合う第１支持部４２０、及び第１支持部４２０から延び平板蛍光ランプ３００の側面と向き合う第２支持部４３０で構成される。このとき、前記平板蛍光ランプ３００の下部面は前記収納容器２００の底部２１０と向き合い、前記平板蛍光ランプ３００の側面は前記収納容器２００の側部２２０と向き合う。前記第２支持部４３０は前記第１支持部４２０から垂直方向を含む所定の角度を成す方向に延びる。前記第１支持部４２０と前記第２支持部４３０は屈曲する連結部（図示せず）を含むこともできる。第１支持部４２０は平板蛍光ランプ３００を安定的に支持することができる充分な面積を有するように形成される。即ち、前記第１支持部４２０は、支持力が前記平板蛍光ランプ３００に均一に提供されるように、前記平板蛍光ランプ３００の端部に隣接して均一に広がっている。従って、前記支持部材４００の上部では揺れ（ぐらつき）がない。前記第１支持部４２０は、平板蛍光ランプ３００の光が出射されない非有効発光領域に対応する位置に形成されることが望ましい。前記第２支持部４３０の上面は前記収納容器２００の側部２２０より低い高さを有し、また、前記第２支持部４３０の上面は前記平板蛍光ランプ３００の上面より高い位置あるいは低い位置になるように構成することができる。望ましくは、図２に示すように、前記第２支持部４３０の上面は前記平板蛍光ランプ３００の上面と同一の高さに位置する。
【００２５】
支持部材４００は外部から加えられる衝撃が平板蛍光ランプ３００に及ぶ影響を減少させるための緩衝部４１０を有する。緩衝部４１０は支持部材４００の表面から一定高さに突出する突起４１２からなる。即ち、前記突起４１２は前記支持部材４００の表面に固定される端部と前記平板蛍光ランプ３００と係合する非固定端部とを有する。前記各突起４１２の非固定端部は、前記支持部材４００の表面から第１距離分だけ延びる。突起４１２は、支持部材４００上に不規則な位置に配置することができるが、衝撃力の分散を均一にするために規則的に形成され配置されることが望ましい。前記突起４１２は、前記第１及び／または第２支持部４２０、４３０と一体的に形成されるように、前記第１及び/または第２支持部４２０、４３０と共にモールディングによって形成されることができる。また、前記突起４１２を前記第１及び／または第２支持部４２０、４３０と別途に製造し、後に前記第１及び第２支持部４２０、４３０に付着することができる。
【００２６】
突起４１２は、一例では、衝撃に対する緩衝力を増加させるために、前記突起４１２が延長された支持部材４００の第１支持部４２０または第２支持部４３０の表面に垂直な方向に切断した縦断面が梯形形状のような円錐台形状を有し、支持部材４００の表面に平行な方向に切断した横断面が円形状を有するように形成される。例えば、各突起４１２の直径（支持部材の表面に平行な方向に切断した横断面の直径）は約１０ｍｍ〜２０ｍｍ程度の大きさを有する。前記突起４１２の横断面の実際の面積は前記バックライト組立体が採用された製品の大きさによって決定される。この実施例において、前記突起４１２の大きさは互いに同一である。他の実施例において、前記突起４１２は前記第１及び／または第２支持部４２０、４３０に沿って配列され互いに異なる大きさを有することができる。このような形状の突起４１２（即ち図４、図５に示したような切頭錐台形状の突起）は、支持部材４００と平板蛍光ランプ３００との間の面接触を点接触に変換して平板蛍光ランプ３００に加えられる衝撃量を減少させる。他にも、突起４１２は、横断面が四角形または楕円などの多様な形態を有するように形成することができ、縦断面も四角形または楕円などの多様な形態に形成可能である。
【００２７】
本実施例において、突起４１２は第１支持部４２０に形成され、前記収納容器２００の底部２１０と向き合う平板蛍光ランプ３００の下面と向き合う第１面４２２（図５）に形成される。従って、支持部材４００に実装される平板蛍光ランプ３００は突起４１２と接するようになる。突起４１２は、外部から衝撃が加えられた場合に平板蛍光ランプ３００に加えられる衝撃量を分散させ、平板蛍光ランプ３００が破損するなどの不良発生を防止する。
【００２８】
図６は支持部材の他の例を示す断面図である。本実施例において、突起の形成位置を除いた残りの構成は図３ないし図５に示した実施例における支持部材と同様であるので、同一の構成要素には同一の図面符号を使用し、その重複する詳細な説明は省略することにする。
【００２９】
図６に示すように、突起４１２は支持部材４００の第１支持部４２０に形成され、収納容器２００と向き合う第２面４２４、即ち、第１面４２２の反対側の面に形成される。従って、前記平板蛍光ランプ３００は、前記第１支持部４２０の第１面４２２の平面上に置かれ、突起４１２は収納容器４２０の底部２１０と接するようになり、外部から加えられる衝撃を減少させる。
【００３０】
図７は支持部材のさらに他の例を示す断面図である。本実施例において、突起の形成位置の除いた残りの構成は図３ないし図５に示した実施例における支持部材と同様であるので、同一の構成要素には同一の図面符号を使用し、その重複する詳細な説明は省略することにする。
【００３１】
図７に示すように、突起４１２は、支持部材４００の第１支持部４２０の、平板蛍光ランプ３００と向き合う第１面４２２及び収納容器２００と向き合う第２面４２４、即ち、第１面４２２の反対側の面の両方に形成される。衝撃に対する分散力を増加させるために、第２面４２４に形成された突起４１２は、第１面４２２に形成された突起４１２と重なり合わないように、第１面４２２に形成された突起４１２の間に形成されることが望ましい。このように、突起４１２が第１支持部４２０の第１面４２２及び第２面４２４の両方に形成された場合、外部衝撃に対する分散力がさらに増加され平板蛍光ランプ３００に及ぶ衝撃をさらに減じることができる。
【００３２】
即ち、突起４１２が第１面４２２上の第１地点４２２ａに位置する場合、前記第１地点において前記第１面４２２及び前記突起４１２を第１面４２２に対して垂直な方向に通過するラインは、前記第２面４２４上の第２地点４２４ａを通過する。このとき、図７に示すように、第２面４２４上の突起４１２は前記第２面４２４上の第２地点４２４ａ内には位置しない。同様に、突起４１２が第２面４２４上の第３地点４２４ｂ内に提供される場合、前記第２面４２４及び前記突起４１２を第２面４２４に対して垂直な方向に通過するラインは、前記第１面４２２の第４地点４２２ｂを通過する。図７に示すように、突起４１２は前記第１面４２２上の第４地点４２２ｂ内には位置しない。
図８は支持部材のさらに他の例を示す断面図である。本実施例において、突起の形成位置を除いた残りの構成は図３ないし図５に示した実施例における支持部材と同様であるので、同一構成要素には同一の図面符号を使用し、その重複する説明は省略する。
【００３３】
図８に示すように、突起４１２は第１支持部４２０及び第２支持部４３０の両方に形成される。突起４１２は、第１支持部４２０で、平板蛍光ランプ３００の下部面と向き合う第１面４２２及び収納容器２００の底部２１０と向き合う第２面４２４に形成される。また、突起４１２は、第２支持部４３０で、平板蛍光ランプ３００の側面と向き合う第３面４３２及び収納容器２００の側部２２０と向き合う第４面４３４に形成される。本実施例による支持部材４００は、平板蛍光ランプ３００に対して垂直方向に加えられる衝撃を緩衝すると同時に、水平方向に加えられる衝撃を緩衝することができる。
【００３４】
一方、突起４１２は第１面４２２及び第３面４３２のみに形成されてもよく、または、第２面４２４及び第４面４３４のみに形成されてもよい。
図９は図１に示された支持部材のさらにまたの例を示す斜視図である。図９において、支持部材を除いた残りの構成要素は図１に示した実施例における支持部材と同一であるので、同一の構成要素については同一の図面符号を使用し、その重複する詳細な説明は省略することにする。
【００３５】
図９に示すように、支持部材５００は四つの部片からなり、平板蛍光ランプ３００の四つの角に対応する位置にそれぞれ配置される。支持部材５００の各部片は、平板蛍光ランプ３００の角を安定的に支持するために“Ｌ”字形状に形成される。支持部材５００の各部片は平板蛍光ランプ３００の下部面と向き合う第１支持部５１０を含む。前記第１支持部５１０は大体平らである。この実施例において、前記第１支持部５１０は“Ｌ”字形状を有するように形成されるが、前記第１支持部５１０は多様な形状、例えば、正四角形または他の長方形を有するように形成されることができる。前記支持部材５００の各部片は、前記平板蛍光ランプ３００の一側面、または、隣接する２つの側面と向き合う第２支持部５２０をさらに含むことができる。本実施例では、図示したように、前記第２支持部５２０は、前記平板蛍光ランプ３００の第１側面の一部に対応する第１側部と前記平板蛍光ランプ３００の第２側面の一部に対応する第２側部を含む。前記第１及び第２側部は、前記平板蛍光ランプ３００の角に接して位置する。前記第２支持部５２０は前記第１支持部５１０から所定の角度、例えば、９０°角度を成すように延びる。
【００３６】
支持部材５００の各部片は衝撃を緩衝するための突起５３０を有する。突起５３０は、第１支持部５１０に、または、第１支持部５１０及び第２支持部５２０の両方に、形成されることができる。また、突起５３０は、平板蛍光ランプ３００と向き合う面のみに、収納容器２００と向き合う面のみに、または平板蛍光ランプ３００と向き合う面及び収納容器２００と向き合う面の両方に、形成されることができる。
【００３７】
図１０は図１に示された平板蛍光ランプの一例を示す斜視図であり、図１１は図１０に示された平板蛍光ランプの断面図である。
【００３８】
図１０及び図１１に示すように、平板蛍光ランプ６００は平板形状の第１基板６１０、第１基板６１０と結合され複数の放電空間６５０を形成する第２基板６２０、及び放電空間６５０に放電電圧を印加するための少なくとも一つの電極６３０を含む。
【００３９】
第１基板６１０は四角形の平板形状を有し、一例では、可視光線は透過させ紫外線が遮断する透明なガラス基板からなる。
【００４０】
第２基板６２０は第１基板６１０と結合され放電空間６５０を形成し、一例では、第１基板６１０と同様に透明なガラス基板からなる。前記放電空間６５０を形成するために、前記第２基板６２０は前記第１基板６１０と異なり平らでないように形成される。第２基板６２０は、第１基板６１０と離隔された放電空間６５０を形成するように、反転されたＵ字形の断面形状を有する複数の放電空間部６２２、隣接する放電空間部６２２の間に形成され第１基板６１０と接する複数の空間分割部６２４、及び放電空間部６２２と空間分割部６２４の端部位置に形成され第１基板６１０と結合されるシーリング部６２６からなる。
【００４１】
このような形状の第２基板６２０は、一例では、成形加工によって形成される。即ち、第１基板６１０のようなプレート形状のベース基板を一定温度で加熱した後所望する形状の金型を通じて前記ベース基板を成形することで、放電空間部６２２、空間分割部６２４及びシーリング部６２６を含む第２基板６２０を得ることができる。他にも、第２基板６２０は、ベース基板を加熱した後空気の吸入することにより前記放電空間部６２２と空間分割部６２４を形成するなどの多様な方法によって形成されることができる。
【００４２】
第２基板６２０の縦断面は、図１１に示したように、梯形と類似した複数の半楕円が連続的に連結される形態を有する。しかし、これとは異なり、第２基板６２０は縦断面が半円、四角形などの多様な形態を有するように形成されることができる。
第２基板６２０は、一例では、ガラスより低い融点を有するガラスと金属との混合物であるフリット（ｆｒｉｔ）などの接着部材６６０により第１基板６１０と結合される。フリットは混合物を融解することによって準備される微細なホモジニアス（ｈｏｍｏｇｅｎｅｏｕｓ）粉末物質である。前記第１基板６１０と第２基板６２０との間のシーリング部６２６に対応する位置に接着部材６６０を介在させた後焼成することで、第１基板６１０と第２基板６２０は互いに結合される。このとき、接着部材６６０は、第１基板６１０と第２基板６２０との間のシーリング部６２６のみに形成され、第１基板６１０と接する空間分割部６２４には形成されない。空間分割部６２４は、平板蛍光ランプ６００の内部と外部と間の圧力差によって第１基板６１０に密着される。接着剤６６０は、前記第１及び第２基板６１０、６２０の外周部分をシーリングするために前記電極６３０に対応する端部位置にもそれぞれ使用されることができる。
【００４３】
具体的に、第１基板６１０と第２基板６２０との結合の後、放電空間６５０内に存在する空気を排気して真空状態を作り、その後、放電空間６５０にはプラズマ放電のための多様な種類の放電ガスが注入される。一例では、前記放電ガスは水銀Ｈｇ、ネオンＮｅ、クセノン及びクリプトンなどを含む。放電空間６５０に存在する前記放電ガスのガス圧は約５０ｔｏｒｒ（６６６６．１Ｐａ（１ｔｏｒｒは約１３３．３２Ｐａ））程度で、外部の大気圧である７６０ｔｏｒｒ（１０１３２５Ｐａ）と比較して圧力差が発生される。このような圧力差に起因して、平板蛍光ランプ６００の外部から内部に向かう力が発生し、このような力によって空間分割部６２４は第１基板６１０に密着される。
【００４４】
一方、第２基板６２０には互いに隣接した放電空間６５０を連結するための連結通路６４０が形成される。連結通路６４０はそれぞれの空間分割部６２４に少なくとも一つ形成される。この実施例においては、互いに隣接した放電空間部６２２の間に一つの連結通路６４０のみが形成された例が示されている、互いに隣接した放電空間部６２２の間に複数の連結通路６４０を形成することもできる。いずれか一つ以上の放電空間６５０に注入される放電ガスは連結通路６４０を通じて他の放電空間６５０に移動され、結局、全ての放電空間６５０には均一なガス圧で放電ガスが分布するようになる。
【００４５】
電極６３０は、平板蛍光ランプ６００の両端部に、放電空間部６２２の長さ方向と垂直な方向にそれぞれ形成され、全ての放電空間６５０と重ねられる。電極６３０は第１基板６１０の外面と第２基板６２０の外面のうち少なくとも一つの外面に形成される。これとは異なり、電極６３０は第１基板６１０または第２基板６２０の内面に形成されることができる。
【００４６】
電極６３０は導電性が優れた材質、例えば、銅（Ｃｕ）、ニッケル（Ｎｉ）、銀（Ａｇ）、金（Ａｕ）、アルミニウム（Ａｌ）、クロム（Ｃｒ）などの金属物質のうちいずれか一つ以上の金属物質からなる金属パウダをスプレイコーティングする方法によって形成される。これとは異なり、電極６３０は導電性のアルミニウムテープを張るか、導電性金属物質を銀ペーストなどの導電性接着剤を用いて接着する方法によって形成されることができる。このような電極６３０は、外部から印加される放電電圧を平板蛍光ランプ６００に印加して、放電空間６５０にプラズマを発生させる。
【００４７】
一方、平板蛍光ランプ６００は、第１基板６１０の内面に形成される第１蛍光層６１２、反射層６１４及び第２基板６２０の内面に形成される第２蛍光層６２８をさらに含む。第１及び第２蛍光層６１２、６２８は、放電空間６５０でプラズマ放電により発生した紫外線によって励起され、可視光線を放出する。反射層６１４は第１基板６１０と第１蛍光層６１２との間に形成される。反射層６１４は第１及び第２蛍光層６１２、６２８によって発生した可視光線を第２基板６２０側に反射させ、第１基板６１０を通じて光が漏洩されることを防止する。
【００４８】
図１２は図１に示された平板蛍光ランプの他の例を示す斜視図であり、図１３は図１２に示された平板蛍光ランプの断面図である。
図１２及び図１３に示すように、平板蛍光ランプ７００は第１基板７１０、第２基板７２０、密封部材７３０、隔壁７４０及びデータ７５０を含む。
【００４９】
第１基板７１０は平板形状を有し、一例では、可視光を透過させる透明なガラス基板からなる。第２基板７２０は第１基板７１０と同一の形状を有し、一例では、第１基板７１０と同一のガラス基板からなる。第２基板７２０は第１基板７１０と結合され内部空間を形成する。第１及び第２基板７１０、７２０は望ましくは内部空間で発生した紫外線が漏洩しないように紫外線を遮断する物質を含むことができる。
【００５０】
密封部材７３０は第１基板７１０と第２基板７２０との間の端部位置に配置され、第１基板７１０と第２基板７２０とを結合させる。密封部材７３０は、一例では、第１及び第２基板７１０、７２０と同一のガラス材質からなり、ガラスより低い融点を有するガラスと金属との混合物であるフリットなどの接着剤を通じて第１及び第２基板７１０、７２０と結合される。
【００５１】
少なくとも一つの隔壁７４０が第１基板７１０と第２基板７２０との間に配置され、第１基板７１０と第２基板７２０との間の内部空間を複数の放電空間７６０に分割する。隔壁７４０は互いに同一の方向に延びる棒形状を有し、互いに並んで等間隔に配置される。隔壁７４０は、一例では、密封部材７３０と同一のガラス材質からなり、フリットなどの接着剤を通じて第１及び第２基板７１０、７２０と結合される。他にも、隔壁７４０は溶融された隔壁の主原料をディスペンサ（ｄｉｓｐｅｎｓｅｒ）に投入した後、ディスペンサの移動によって形成されることができる。
【００５２】
一方、平板蛍光ランプ７００は隣接した放電空間７６０を互いに連結するための連結通路７７０を有する。連結通路７７０は、各隔壁７４０の長さ方向の両端部のうち少なくとも一つの端部を密封部材７３０と離隔することにより形成される。望ましくは、隔壁７４０は、連結通路７７０を蛇行形状に形成するように互い違いに形成される。即ち、互いに隣接した隔壁７４０のうち一つの隔壁７４０は長さ方向の一端部が密封部材７３０と離隔され、他の一つの隔壁７４０は長さ方向の他端部が密封部材７３０と離隔されるように形成される。いずれか一つ以上の放電空間７６０に注入される放電ガスは連結通路７７０を通じて他の放電空間７６０に移動し、結局、全ての放電空間７６０に均一なガス圧で放電ガスが分布するようになる。また、連結通路７７０は、各隔壁７４０の両端部が密封部材７３０に密着された状態で、各隔壁７４０を不連続的に形成することにより、即ち隔壁７４０の一部が切断された形状となるように形成することにより、あるいは、隔壁７４０の一部に穴をあけることにより、形成されることができる。
【００５３】
電極７５０は、隔壁７４０の長さ方向の両端部に対応する位置にそれぞれ形成され、隔壁７４０の長さ方向に垂直な方向に延び、全ての放電空間７６０と交差する。電極７５０は、第１基板７１０の外面と第２基板７２０の外面のうち少なくとも一つの外面に形成される。これとは異なり、電極７５０は第１基板７１０または第２基板７２０の内面に形成されることができる。
平板蛍光ランプ７００は第１及び第２蛍光層７１２、７２２と反射層７１４とをさらに含む。
【００５４】
第１蛍光層７１２は第１基板７１０の内面及び隔壁７４０の側面に薄い膜状に形成され、第２蛍光層７２２は第２基板７２０の内面に薄い膜状に形成される。即ち、それぞれの放電空間７６０は第１及び第２蛍光層７１２、７２２によって取り囲まれるようになる。第１及び第２蛍光層７１２、７２２は、放電空間７６０でプラズマ放電により発生した紫外線によって励起され、可視光線を放出する。
【００５５】
反射層７１４は、第１基板７１０と第１蛍光層７１２との間に形成される。反射層７１４は、第１及び第２蛍光層７１２、７２２によって発生した可視光線を第２基板７２０側に反射させ、第１基板７１０から光が漏洩することを防止する。反射層７１４は、反射率を高め色座標の変化を減少させるために金属酸化物からなる。例えば、反射層７１４は酸化アルミニウム（Ａｌ２Ｏ３）または硫酸バリウム（ＢａＳＯ４）からなり、コーティング工程を通じて形成される。
【００５６】
図１４は本発明の他の実施例によるバックライト組立体を示す分解斜視図であり、図１５は図１４に示されたバックライト組立体の結合された断面を示す断面図である。本実施例において、収納容器、平板蛍光ランプ及び支持部材は図１に示した実施例におけるものと同一であるので、同一の図面符号を使用し、その重複する詳細な説明は省略する。
【００５７】
図１４及び図１５に示すように、バックライト組立体８００は、収納容器２００、平板蛍光ランプ３００及び支持部材４００を含む。また、バックライト組立体８００は、平板蛍光ランプ３００の上部に配置される第１フレーム８１０及び収納容器２００の背面に配置されるインバータ８２０をさらに含むことができる。
【００５８】
第１フレーム８１０は、平板蛍光ランプ３００の上部から収納容器２００の側部２２０と結合され、平板蛍光ランプ３００の上部面の端部を固定する。第１フレーム８１０は、図１４に示すように、平板蛍光ランプ３００の各辺に対応する四つの部片からなる。一方、第１フレーム８１０は“コ”字形状、または“Ｌ”字形状の２つの部片から構成することができ、また、四つの辺が全部連結された一体形に製作されることができる。
【００５９】
インバータ８２０は平板蛍光ランプ３００を駆動するための放電電圧を発生させる。インバータ８２０は、外部から印加される交流電圧を平板蛍光ランプ３００の駆動のための高電位の放電電圧に昇圧して出力する。インバータ８２０から出力される放電電圧は、第１及び第２電源線８２２、８２４を通じて平板蛍光ランプ３００に印加される。
【００６０】
バックライト組立体８００は、第１フレーム８１０の上部に配される拡散板８３０及び光学シート８４０と、拡散板８３０と光学シート８４０を固定するための第２フレーム８５０とをさらに含むことができる。拡散板８３０は、平板蛍光ランプ３００から出射される光を拡散させ、光の輝度均一性を向上させる。拡散板８３０は所定の厚さを有するプレート形状からなり、第１フレーム８１０によって支持され平板蛍光ランプ３００と所定間隔に離隔された状態に配置される。光学シート８４０は、拡散板８３０を通じて拡散された光を集光し正面輝度を向上させるための集光シートから構成され、または、拡散板８３０を通じて拡散された光を再度拡散させるための拡散シートから構成される。一方、バックライト組立体８００は、要求される輝度特性によって光学シート８４０の追加または除去が可能である。第２フレーム８５０は拡散板８３０及び光学シート８４０の上部から収納容器２００と結合され、拡散板８３０及び光学シート８４０の上部面の端部を固定する。
【００６１】
図１６は本実施例の一実施例による液晶表示装置を示す分解斜視図である。本実施例において、バックライト組立体は図１５に示した実施例におけるバックライト組立体と同一であるので、同一の図面符号を使用し、その重複する詳細な説明は省略する。
【００６２】
図１６に示すように、液晶表示装置１０００は、光を供給するためのバックライト組立体８００、画像を表示するための表示ユニット９００、及び表示ユニット９００を固定するためのトップシャーシ９８０を含む。
表示ユニット９００は画像を表示する液晶表示パネル９１０、液晶表示パネル９１０を駆動するための駆動信号を提供するデータ及びゲート印刷回路基板９２０、９３０を含む。データ及びゲート印刷回路基板９２０、９３０から提供される駆動信号は、データ可撓性回路フィルム９４０及びゲート可撓性回路フィルム９５０を通じて液晶表示パネル９１０に印加される。データ及びゲート可撓性回路フィルム９４０、９５０は、一例では、テープキャリアパッケージ（ＴＣＰ）またはチップオンフィルム（ＣＯＦ）からなる。また、データ及びゲート可撓性回路フィルム９４０、９５０それぞれは、データ及びゲート印刷回路基板９２０、９３０から提供される駆動信号を適切なタイミングに液晶表示パネル９１０に印加するために駆動信号を制御するデータ及びゲート駆動チップ９４２、９５２をさらに含む。
【００６３】
液晶表示パネル９１０は、薄膜トランジスタ（以下、ＴＦＴと称する）基板９１２、ＴＦＴ基板９１２と対向して結合されるカラーフィルター基板９１４、及び前記２つの基板９１２、９１４の間に介在する液晶９１６を含む。
ＴＦＴ基板９１２は、スイッチング素子であるＴＦＴ（図示せず）がマトリックス形状に形成された透明なガラス基板である。前記ＴＦＴのソース及びゲート端子にはそれぞれデータ及びゲートラインが連結され、ドレイン端子には透明な導電性材質からなる画素電極（図示せず）が連結される。
【００６４】
カラーフィルター基板９１４は、色画素であるＲ、Ｇ、Ｂ画素（図示せず）が薄膜工程によって形成される基板である。カラーフィルター基板９１４には透明な導電性材質からなる共通電極（図示せず）が形成される。
【００６５】
このような構成を有する液晶表示パネル９１０は、前記ＴＦＴのゲート端子に電源電圧が印加されＴＦＴがターンオンされると、画素電極と共通電極との間には電界が形成される。このような電界によってＴＦＴ基板９１２とカラーフィルター基板９１４との間に介在する液晶９１６の配列が変化し、液晶９１６の配列変化によってバックライト組立体８００から供給される光の透過度が変えられ、所望する階調の画像を得るようになる。
【００６６】
トップシャーシ９８０は、液晶表示パネル９１０の端部を取り囲むように収納容器２００に結合され、液晶表示パネル９１０をバックライト組立体８００の上部に固定する。このようなトップシャーシ９８０は、外部からの衝撃による液晶表示パネル９１０の破損を防止し、液晶表示パネル９１０がバックライト組立体８００から離脱することを防止する。
【００６７】
このようなバックライト組立体及びこれを有する液晶表示装置によると、平板蛍光ランプを支持する支持部材に外部から加えられる衝撃を緩衝するための緩衝部を形成して、バックライト組立体の耐衝撃性を向上させ、平板蛍光ランプの破損を防止することができる。
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００６８】
【図１】本発明の一実施例によるバックライト組立体を示す分解斜視図である。
【図２】図１に示されたバックライト組立体の断面を示す断面図である。
【図３】図１に示された支持部材の一例を示す斜視図である。
【図４】図３に示された支持部材の一部を拡大した拡大図である。
【図５】図４のＩ−Ｉ線に沿って切断した断面図である。
【図６】図１に示された支持部材の他の例を示す断面図である。
【図７】図１に示された支持部材のさらに他の例を示す断面図である。
【図８】図１に示された支持部材のさらに他の例を示す断面図である。
【図９】図１に示された支持部材のさらに他の例を示す斜視図である。
【図１０】図１に示された平板蛍光ランプの一例を示す斜視図である。
【図１１】図１０に示された平板蛍光ランプの断面図である。
【図１２】図１に示された平板蛍光ランプの他の例を示す斜視図である。
【図１３】図１２に示された平板蛍光ランプの断面図である。
【図１４】本発明の他の実施例によるバックライト組立体を示す分解斜視図である。
【図１５】図１４に示されたバックライト組立体の結合された断面を示す断面図である。
【図１６】本発明の一実施例による液晶表示装置を示す分解斜視図である。
【符号の説明】
【００６９】
１００      バックライト組立体
２００      収納容器
３００      平板蛍光ランプ
４００      支持部材
４１０      緩衝部
４１２      突起
４２０      第１支持部
４３０      第２支持部
８１０      第１フレーム
８２０      インバータ
８３０      拡散板
８４０      光学シート
８５０      第２フレーム
９００      表示ユニット
９１０      液晶表示パネル
９８０      トップシャーシ
【図１】
2006054177.tif 000003
【図２】
2006054177.tif 000004
【図３】
2006054177.tif 000005
【図４】
2006054177.tif 000006
【図５】
2006054177.tif 000007
【図６】
2006054177.tif 000008
【図７】
2006054177.tif 000009
【図８】
2006054177.tif 000010
【図９】
2006054177.tif 000011
【図１０】
2006054177.tif 000012
【図１１】
2006054177.tif 000013
【図１２】
2006054177.tif 000014
【図１３】
2006054177.tif 000015
【図１４】
2006054177.tif 000016
【図１５】
2006054177.tif 000017
【図１６】
2006054177.tif 000018